【事件の表示】
　平成８年特許願第９６８７３号「カメラ」拒絶査定不服審判事件〔平成９年１０月３１日出願公開、特開平９−２８１５７３〕について、次のとおり審決する。
【結　論】
　本件審判の請求は、成り立たない。
【理　由】
１．手続の経緯
　本願は、平成８年４月１８日に出願された特願平８−９６８７３号の特許出願であって、平成１４年１１月２８日付けで明細書の特許請求の範囲を補正する手続補正書が提出された後、原審における平成１６年３月１２日付けの拒絶理由通知に対し、平成１６年５月１２日付けの意見書のみが提出され、さらに原審における平成１６年６月１１日付けの拒絶理由通知に対し、平成１６年７月２１日付けの意見書とともに同日付けの明細書を補正する手続補正書が提出され、前記平成１６年６月１１日付けの拒絶理由通知の理由により平成１６年８月１３日付けで拒絶査定がなされたところ、前記拒絶査定を不服とする審判の請求が平成１６年９月２２日になされたものである。
　
２．本願発明
　本願発明は、平成１６年７月２１日付けの手続補正により補正された特許請求の範囲の請求項１に記載された事項により特定される次のとおりのもの（以下、これを「
本願発明１
「【請求項１】　写真フイルムを収納したフイルムカートリッジが装填され、カートリッジのスプール及び、フイルム巻取り軸とを駆動して写真フイルムの巻き上げと巻き戻しとを行なうモータと、シャッタボタンの押圧によりコンデンサに充電し、シャッタボタンの押圧解除により該コンデンサに充電された電荷を放電させるＣＲタイマーによって写真フイルムの巻き上げの際のモータの駆動時間を限定するモータ制御回路とを備えたカメラにおいて、
　前記写真フイルムをカートリッジ本体に巻き戻す際に、ＣＲタイマーに残っている電荷を放電させるようにしたことを特徴とするカメラ。」
　
３．引用文献における記載事項
（１）原審における拒絶査定の理由に引用された刊行物であって、本願の特許出願前に頒布された特開平８−６１２１号公報（以下、「
引用文献１
「【０００１】【産業上の利用分野】この発明はフィルム給送制御装置に係り、特にフィルムの１コマ巻上げやフィルムの巻戻しをモータで行うフィルム給送制御装置に関する。
　【０００２】【従来の技術】一般に、フィルム給送制御装置は、シャッタボタンを指で押し下げてシャッタをレリーズした後、撮影が完了してシャッタボタンから指が離れたという信号を受けると、フィルム巻上げ用モータが駆動してフィルムを１コマ巻き上げる。フィルムの１コマ巻き上げ完了後フィルム巻上げ用モータを停止してフィルムの自動巻き上げを停止する。そして、所定枚数分の撮影が完了した後、フィルムをパトローネ軸に巻き戻す。この場合、フィルム巻上げ用モータを制御する制御素子はタイマー回路のコンデンサから供給された電荷で制御される。
　【０００３】【発明が解決しようとする課題】しかしながら、従来のタイマー回路はフィルムの巻上げ時にコンデンサに電荷を充電するので、フィルム巻上げ用モータの巻き上げ負荷により、コンデンサに電荷を充電する電源電圧が変動する。従って、コンデンサに一定の電荷が充電されないのでタイマー回路のタイマー時間が一定にならないという不具合がある。この不具合を防止するためタイマー回路に定電圧回路等を設けてコンデンサに一定電圧を供給していた。このように、タイマー回路に定電圧回路等を設けるのでフィルム給送制御装置のコストが高いという問題がある。」
「【０００７】【実施例】…………。図４に示すようにカメラ１０のケース１２には左端部にパトローネ１４が収納され、右端部には巻上げスプール１６が支持されている。巻上げスプール１６はギアＧ１、Ｇ２及びＧ３を介してモータ（フィルム巻上げ用モータ）１８に回転力が伝達可能に連結されている。」
「【００１５】一方、ケース１２の上端部にはピン５８Ａを介してシャッタ部材５８が揺動自在に支持されている。シャッタ部材５８は合成樹脂等の弾性部材で形成されている。従って、シャッタボタン５８Ｂに押圧力が作用するとレバー部５８Ｃが弾性変形してシャッタボタン５８Ｂが下方に押し下げられる。シャッタボタン５８Ｂの押圧力が解除されるとレバー部５８Ｃの弾性変形が解除されてシャッタボタン５８Ｂは操作前の待機位置まで復帰する。図２に示すようにシャッタ部材５８Ｂの下方には切換えスイッチＳ１が配設され、切換えスイッチＳ１は１コマ送り位置Ｐ２に常時セットされている。そして、シャッタ部材５８Ｂが半押し位置まで押し下げられると、シャッタ部材５８Ｂが切換えスイッチＳ１を押圧して切換えスイッチＳ１が１コマ送り位置Ｐ２から充電位置Ｐ３に切り換わる。
　【００１６】シャッタ部材５８には作動レバー６０が形成され、作動レバー６０の先端には押圧部６０Ａが形成されている。押圧部６０Ａは、シャッタボタン５８Ｂが下方に押し下げられると押圧部６０Ａが係止レバー４２の突出片５４に当接し、突出片５４は押圧部６０Ａに押圧されて軸４４を中心にして反時計回り方向に回動する。これにより、係止レバー４２が反時計回り方向に回動するので、第１爪部４６は巻止めカム３２の係止溝３２Ａ内から退避し、突起５６はフィルム巻上げスイッチＳ０を押圧する。これにより、フィルム巻上げスイッチＳ０がノーマル位置Ｐ４からフィルム巻上げ位置Ｐ５に切り換わる（図３参照）。」
「【００１８】また、図３に示す制御部６２はフィルム巻上げスイッチＳ０、切換えスイッチＳ１、トランジスタＱ１、トランジスタＱ２及び１コマ送り・巻戻し切換えスイッチＳ２を有している。図３において１コマ送り・巻戻し切換えスイッチＳ２は１コマ送り位置Ｐ１にセットされ、切換えスイッチＳ１はノーマル状態で１コマ送り位置Ｐ２にセットされている。また、フィルム巻上げスイッチＳ０はノーマル位置Ｐ４にセットされている。
　【００１９】切換えスイッチＳ１は後述するコンデンサＣ等と共にＣＲタイマー回路６３を構成する。切換えスイッチＳ１はシャッタボタン５８Ｂが半押し位置まで押し下げられると１コマ送り位置Ｐ２から充電位置Ｐ３に切り換わり、電源Ｖの電圧がコンデンサＣに加わりコンデンサＣに電荷が充電される。また、シャッタボタン５８Ｂが半押し位置からシャッタレリーズ位置の手前まで押し込まれると、係止レバー４２がコイルばね５２の付勢力に抗して反時計回り方向に回動して、フィルム巻上げスイッチＳ０が突起５６で押圧されてノーマル位置Ｐ４からフィルム巻上げ位置Ｐ５に切り換わる。
　【００２０】そして、シャッタレリーズ位置まで押し込まれたシャッタボタン５８Ｂから押圧力が解除されて、シャッタボタン５８Ｂが待機位置に復帰すると、切換えスイッチＳ１は充電位置Ｐ３から１コマ送り位置Ｐ２に切り換わる。このように、フィルム巻上げスイッチＳ０がノーマル位置Ｐ４からフィルム巻上げ位置Ｐ５に切り換わり、かつ、切換えスイッチＳ１が充電位置Ｐ３から１コマ送り位置Ｐ２に切り換わると、コンデンサＣに充電された電荷はトランジスタＱ１にベース電流を供給する。これにより、トランジスタＱ１及びトランジスタＱ２が夫々ＯＮの状態になり、モータ１８が正転してフィルム２４が１コマ送られる。
　【００２１】フィルム２４の１コマ送り中に、図４のスプロケット２６を介してチャージ用カム３０が反時計回り方向に回動する。これにより、駆動レバー３４の腕３６がチャージ用カム３０の周面に案内されて時計回り方向に回動する。駆動レバー３４の屈曲部３９と係止レバー４２の係合部４８との当接が解除されて、係止レバー４２がコイルばね５２の付勢力で時計回り方向に回動する。そして、フィルム２４の１コマ送りが完了すると、係止レバー４２の第１爪部４６が巻止めカム３２の係止溝３２Ａ内に嵌入する。これにより、係止レバー４２の突起５６によるフィルム巻上げスイッチＳ０の押下げ力が解除され、フィルム巻上げスイッチＳ０はノーマル位置Ｐ４に復帰する。
　【００２２】そして、フィルム巻上げスイッチＳ０がノーマル位置Ｐ４に復帰すると、フィルム巻上げスイッチＳ０がトランジスタＱ２から切り離され、同時にモータ１８がショートしてモータ１８にブレーキがかかる。なお、図３上で１コマ送り・巻戻し切換えスイッチＳ２のＰ６はフィルム２４の巻戻し位置を示し、６４はストロボ部を示す。また、図１上で６６はスイッチＳ２の正逆転位置を切り換える操作レバーである。操作レバー６６は、駆動レバー３４が待機位置まで回動したとき駆動レバー３４のばね止め部３８が当接する位置に位置決めされ、この状態でスイッチＳ２は正転位置にセットされている。」
「【００２５】これにより、切換えスイッチＳ１が１コマ送り位置Ｐ２から充電位置Ｐ３に切り換わり、電源Ｖの電圧がコンデンサＣに加わってコンデンサＣに電荷が充電される（図１０参照）。…………。
　【００２６】図６の状態から、シャッタボタン５８Ｂをさらに下方に押し下げると、作動レバー６０の押圧部６０Ａが係止レバー４２の突出片５４を反時計回り方向にさらに回動する。これにより、係止レバー４２はコイルばね５２の付勢力に抗して反時計回り方向に回動する。これにより、係止レバー４２の突起５６でフィルム巻上げスイッチＳ０が押圧され、フィルム巻上げスイッチＳ０がフィルム巻上げ位置Ｐ５に切り換わる（図７、図１１参照）。」
「【００２９】図８の状態から、シャッタボタン５８Ｂに対する押下げ力を解除すると、シャッタボタン５８Ｂは図９に示す待機位置に復帰し、切換えスイッチＳ１が充電位置Ｐ３から１コマ送り位置Ｐ２に切り換わる。これにより、コンデンサＣに充電された電荷はトランジスタＱ１にベース電流を供給し、トランジスタＱ１及びトランジスタＱ２が夫々ＯＮの状態になり、モータ１８が正転してフィルム２４が１コマ送られる（図１２参照）。
　【００３０】このように、モータ１８の駆動に先立ってコンデンサＣを充電するので、電源Ｖの電圧が安定している時にコンデンサＣを充電することができる。そして、フィルム２４の巻上げ時に充電されたコンデンサＣから電荷を放電するようにしたので、ＣＲタイマー回路６３のタイマー時間の変動が生じない。従って、モータ１８を所定時間駆動することができるのでフィルム２４の１コマ送り等を確実におこなうことができる。」
「【００３４】尚、図１４はフィルム２４の巻戻し状態を示す説明図であり、フィルム巻戻しは、操作レバー６６でスイッチＳ２をモータ逆転位置Ｐ６に切り換えることにより、モータ１８が逆転してフィルム２４が巻戻す。
　【００３５】【発明の効果】以上説明したように本発明に係るフィルム給送制御装置によれば、フィルムの１コマ巻上げをフィルム巻上げ用モータで行うフィルム給送制御装置において、ＣＲタイマー回路はフィルムの１コマ巻上げ開始に先立ってコンデンサに電荷を充電する。従って、電源電圧が安定している時にＣＲタイマー回路のコンデンサに一定電圧を供給するので、ＣＲタイマー回路のタイマー時間を一定に保つことができる。これにより、ＣＲタイマー回路に定電圧回路等を設けない状態でタイマー時間を一定に保つことができるので低コスト化を図ることができる。」
　
　そして、引用文献１に添付の図１ないし図１４には、明細書の発明の詳細な説明欄に記載のフイルム給送制御装置についての上記技術事項を裏付ける図が示されている。
　
　そうすると、引用文献１の上記摘記事項の記載及び添付図面における図示からみて、前記引用文献１には、次の発明（以下、これを、「
引用発明１
「カメラ１０のケース１２に収納されたパトローネ１４のフィルム２４の巻上げ又は巻戻しを、フィルム巻上げ用モータ１８により巻上げスプール１６又はパトローネ軸２２を回動させて行うカメラ１０であって、
　前記カメラ１０は、フィルム２４の１コマ巻上げ開始に先立ってコンデンサＣに電荷が充電され、フィルム２４の巻上げ時に前記コンデンサＣに充電された電荷をフィルム２４の１コマ巻上げを行うフィルム巻上げ用モータ１８の制御素子に供給するＣＲタイマー回路６３を有するフィルム給送制御装置３３を備えており、
　前記フィルム給送制御装置３３が、
　フィルム巻上げ用のモータ１８に接続され、シャッタボタン５８Ｂをシャッタ開放位置まで押し下げたときＯＮし、フィルム２４の１コマ巻上げ完了後ＯＦＦするフィルム巻上げスイッチＳ０と、
　フィルム巻上げスイッチＳ０に直列に接続され、ＯＮ−ＯＦＦの切換えが可能で、ＯＮ状態でフィルム巻上げスイッチＳ０と電源Ｖを電気的に接続するトランジスタＱ２と、
　切換えスイッチＳ１及び前記コンデンサＣを有するＣＲタイマー回路６３であって、シャッタボタン５８Ｂの半押し時に切換えスイッチＳ１が充電位置Ｐ３に切り換わって前記コンデンサＣに電荷を充電し、シャッタボタン５８Ｂのシャッタ開放位置からの退避時に切換えスイッチＳ１が放電位置P2に切り換わって前記コンデンサＣからトランジスタＱ１にベース電流を流し、トランジスタＱ１、Ｑ２をフィルム２４の１コマ巻上げ時間よりも長い時定数でＯＮするＣＲタイマー回路６３とからなり、
　フィルム２４の巻戻しは、操作レバー６６を操作して１コマ送り・巻戻し切換えスイッチＳ２を１コマ送り位置Ｐ１からモータ逆転位置Ｐ６に切り換えることにより、フィルム巻上げ用モータ１８を逆転させてフィルム２４を巻戻しするようにした、フィルム給送制御装置３３を備えたカメラ」
　
（２）原審における拒絶査定の理由に引用された刊行物であって、本願の特許出願前に頒布された実願昭５３−１０８０９５号（実開昭５５−２４６８４号）のマイクロフイルム（以下、「
引用文献２
「（１）炎の有無を検出するとともに着火動作の制御を行う炎検出回路と、所定のプリパージ時間経過後に燃料バルブを開くように制御を行うプリパージタイマ回路と、前記炎検出回路の出力に基づいて所定期間ののち着火がなされないときに少なくとも前記燃料バルブを閉じるように制御を行う安全スイッチタイマ回路とを有する燃焼制御装置において、前記炎検出回路は電源投入とともに充電開始する時定数回路を有し、前記プリパージタイマ回路のプリパージタイマ時間設定用コンデンサの残留電荷が、電源投入時より前記時定数回路によって決まる所定時間、前記炎検出回路の出力トランジスタを介して放電されるように構成したことを特徴とする燃焼制御装置。」（明細書１頁５〜１９行の実用新案登録請求の範囲の記載）
「ボイラ等に用いられる燃焼制御装置は炎検出回路、プリパージタイマ回路、負荷回路等により構成されるとともに、プリパージタイマ回路などタイマ回路のタイマ時間は抵抗、コンデンサからなる時定数回路により設定される場合が多い。
　ここで前述のタイマ回路用コンデンサはタイムアップすれば電圧が下がるため通常は放電回路を設けないが、タイムアップ前に電源をオフした場合充電電荷が残留し、次回のタイマ動作の際にタイマ時間が短くなるというおそれがある。一方、放電回路を設けた場合、この放電回路は電子回路にて形成されるため電源が切れた後は動作しない等の欠点がある。
　上述のようにタイマ回路用コンデンサに残留電荷があるとタイマ時間が不安定となる。」（明細書２頁３〜１８行）
「この考案の目的は上記に鑑み、燃焼制御装置におけるタイマ回路用のコンデンサがタイマ動作開始前に完全に残留電荷を放電するようにしてタイマ動作の安定化を図るとともに、瞬時停電に対しても安定したタイマ動作を行うことができる燃焼制御装置を提供することにある。」（明細書３頁４〜９行）
「抵抗Ｒ２とコンデンサC2は時定数回路を形成しプリパージタイマ時間を設定している。」（明細書４頁１４〜１６行）
「したがってプリパージタイマ回路のコンデンサＣ２に残留電荷がある場合、抵抗Ｒ４、ダイオードＤ１およびトランジスタＴｒ４を介して放電されることになる。」（明細書５頁１５〜１９行）
「この考案による燃焼制御装置はプリパージタイマ設定用のコンデンサの残留電荷を電源投入時に放電することにより繰り返し特性の良い安定したプリパージタイマ動作を行うことができる。」（明細書９頁１８〜１０頁２行）
　
（３）原審における拒絶査定の理由に引用された刊行物であって、本願の特許出願前に頒布された特開昭５０−１２６３６８号公報（以下、「
引用文献３
「ＣＲ積分回路、電圧比較回路、フリップフロップ回路および、放電用スイッチングトランジスタを具備し、上記ＣＲ積分回路の出力端子とアース端子間に上記トランジスタを接続し、このトランジシタを上記フリップフロップ回路の出力で制御するＣＲタイマー回路において、上記フリップフロップ回路の出力信号を遅延手段を通して上記スイッチングトランジスタに印加したことを特徴とするＣＲタイマー用回路。」（公報１頁左下欄４〜１２行の特許請求の範囲の記載）
「本発明はＣＲタイマー用回路に関する。
　工業用機器の時間制御に用いるタイマーとして、コンデンサと抵抗より成るＣＲ積分回路、電圧比較回路、フリップフロップ回路および出力回路により構成されるタイマーが知られている。
　上記電圧比較回路は積分回路の出力がある一定レベルに到達したことを検出し、上記フリップフロップ回路を反転させる。このフリップフロップ回路の反転信号を出力回路に印加し、この出力回路により外部回路、例えばリレー等を駆動して工業用機器を制御するものである。上記タイマーにおける時間の設定は、積分回路の時定数および上記あるレベルにより決められる。
　上記タイマーにおいては、一度積分回路のコンデンサに電荷を蓄積して時間積分を行なうと、この電荷を放電させた後でなければ再びタイマーとしての動作が行なえない。そこで上記ＣＲタイマーはフリップフロップ回路が反転した後、すなわち設定された時間積分を完了した後、上記反転出力により自動的に上記積分回路を放電させることができるように構成されている。」（公報１頁左下欄１４行〜同頁右下欄１４行）
「第１図は本発明に係るＣＲタイマー回路の一例である。上記回路は抵抗Ｒｘ、コンデンサＣ１からなるＣＲ積分回路および、抵抗ＲＡ、ＲＢからなる基準電圧発生回路と、電圧比較回路７と、フリップフロップ回路８と、出力回路９と、上記積分回路の放電経路を構成するスイッチングトランジスタＱと、抵抗Ｒ１およびに、ダイオードDとを具備し、上記ＣＲ積分回路と基準電圧発生回路を除く他の回路は同図において破線で示すように半導体集積回路１０として構成される。」（公報２頁右上欄７〜１６行）
「ＣＲ積分回路のコンデンサＣ１の放電経路を構成するスイッチングトランジスタＱ……」（公報２頁左下欄１３〜１４行）
　
４．当審の判断
（１）対比及び一致点・相違点
　本願発明１と上記引用発明１とを対比すると、引用発明１の「フィルム２４」、「パトローネ１４」、「パトローネ軸２２」、「巻上げスプール１６」、「フィルム巻上げ用モータ１８」、「コンデンサＣ」、「ＣＲタイマー回路６３」及び「カメラ１０」のそれぞれが、本願発明１の「写真フイルム」、「フイルムカートリッジ」、「カートリッジのスプール」、「フイルム巻取り軸」、「写真フイルムの巻き上げと巻き戻しとを行なうモータ」、「コンデンサ」、「ＣＲタイマー」及び「カメラ」のそれぞれに相当する。
　また、引用発明１の「コンデンサＣに充電された電荷をフィルム２４の１コマ巻上げを行うフィルム巻上げ用モータ１８の制御素子に供給するＣＲタイマー回路６３を有するフィルム給送制御装置３３」が、本願発明１の「コンデンサに充電された電荷を放電させるＣＲタイマーによって写真フイルムの巻き上げの際のモータの駆動時間を限定するモータ制御回路」に相当する。
　そして、引用発明１の「切換えスイッチＳ１及び前記コンデンサＣを有するＣＲタイマー回路６３であって、シャッタボタン５８Ｂの半押し時に切換えスイッチＳ１が充電位置Ｐ３に切り換わって前記コンデンサＣに電荷を充電し、シャッタボタン５８Ｂのシャッタ開放位置からの退避時に切換えスイッチＳ１が放電位置P2に切り換わって前記コンデンサＣからトランジスタＱ１にベース電流を流し、トランジスタＱ１、Ｑ２をフィルム２４の１コマ巻上げ時間よりも長い時定数でＯＮするＣＲタイマー回路６３」という構成は、本願発明１の「シャッタボタンの押圧によりコンデンサに充電し、シャッタボタンの押圧解除により該コンデンサに充電された電荷を放電させるＣＲタイマー」の構成に相当しているということができる。
　してみると、本願発明１と引用発明１とは、「写真フイルムを収納したフイルムカートリッジが装填され、カートリッジのスプール及び、フイルム巻取り軸とを駆動して写真フイルムの巻き上げと巻き戻しとを行なうモータと、シャッタボタンの押圧によりコンデンサに充電し、シャッタボタンの押圧解除により該コンデンサに充電された電荷を放電させるＣＲタイマーによって写真フイルムの巻き上げの際のモータの駆動時間を限定するモータ制御回路とを備えたカメラ」である点で一致し、次の点で両者の構成が相違する。
　
相違点１
　
（２）相違点１についての検討
　本願発明１の課題は、ＣＲタイマーに残留している電荷を起因とするカメラの誤動作を防止することであり、その課題の解決手段として、フイルム巻き戻し時にＣＲタイマーに残っている電荷を放電する技術手段を採用し、この技術手段により、本願発明１では、カメラが動作状態を誤認識しても、巻き戻し直後の写真フイルムが再び撮影位置にセットされるような誤動作は発生しないというものである。
　しかしながら、ＣＲタイマーにより動作制御を行う装置におけるＣＲタイマーのコンデンサの残留電荷が、動作制御の誤動作或いは不具合を現出させる原因であるという問題認識については、上記「３．引用文献における記載事項」欄の（２）及び（３）に摘記したように、引用文献２及び引用文献３に記載されており、前記ＣＲタイマーにおけるコンデンサの残留電荷の処置は、本願特許出願時の周知の課題であったといえる。
　また、引用文献２及び引用文献３には、それぞれ「ＣＲタイマーを利用して燃焼制御を行なうようにした燃焼制御装置」及び「フリップフロップ回路を用いたＣＲタイマー」が記載されていて、そのいずれにも「所用の動作が終了したときに、コンデンサに充電されている電荷を放電させること」が記載されているのであるから、「ＣＲタイマーにより動作制御を行う装置におけるコンデンサに充電されている電荷を、所用の動作が終了したときに放電させる技術手段」は、本願特許出願時の周知技術であるといえる。
　そして、引用発明１に前記周知技術を付加するに際して、相互に技術的に阻害する要因を認めることができないことを参酌すると、このような周知の技術手段を、引用発明１のＣＲタイマーによりフイルム給送制御を行なうカメラに採用することにより、上記相違点１に係る「写真フイルムをカートリッジ本体に巻き戻す際に、ＣＲタイマーに残っている電荷を放電させるように」した構成を得ることは、格別の困難を要することなく当業者が容易に想到できたことである。
　
　また、本願発明１の奏する作用効果は、引用発明１及び周知技術から予測できる範囲内のものであって、格別顕著のものということができない。
　
（３）まとめ
　したがって、本願発明１は、引用発明１及び周知技術に基いて当業者が容易に発明をすることができたものであるから、本願発明１は特許法第２９条第２項の規定により特許を受けることができない。
　
５．むすび
　以上のとおり、本願発明１は特許法第２９条第２項の規定により特許を受けることができないから、本願は、拒絶すべきものである。
　よって、結論のとおり審決する。